(57)【要約】      （修正有）【課題】地面を掘り込むことができ、草を根元から除去することができる改良型の草取り装置を提供する。【解決手段】回転軸３と、該回転軸３を駆動する駆動部４と、回転軸３に係合するアーム５と、該アーム５に設けられ、平らな地面に対して平行になるエッジ６ａと、該エッジ６ａを一辺にもつ枠６ｂと、該枠６ｂを開口部として設けられたふるい目状の草収集かご６ｃとを有する掘削部と、該掘削部が地面に対して上下往復運動をするように回転軸３の回転運動を変換する運動変換部と、装置全体を移動可能にする車輪８とを備える。【選択図】図１
0003165001.tif 000002
【実用新案登録請求の範囲】
【請求項１】
第１の回転軸と、
前記第１の回転軸を駆動する駆動部と、
前記第１の回転軸に係合するアームと、
前記アームに設けられ、平らな地面に対して平行になるエッジと、該エッジを一辺にもつ枠と、該枠を開口部として設けられたふるい目状の草収集かごとを有する掘削部と、
前記掘削部が地面に対して上下往復運動をするように前記第１の回転軸の回転運動を変換する運動変換部と、
装置全体を移動可能にする車輪とを備えることを特徴とする草取り装置。
【請求項２】
前記運動変換部は、カム機構により、前記アームの一端側が上下往復運動をするように構成されていることを特徴とする請求項１に記載の草取り装置。
【請求項３】
第２の回転軸と、
前記第１の回転軸と前記第２の回転軸とに掛けられたチェーンと、
前記第２の回転軸に取付具を介して取り付けられ、前記チェーンを介して前記第２の回転軸が駆動すると、前記エッジで掘り起こされた掘削物を前記草収集かごの中へ取り込む取込羽根とを備えることを特徴とする請求項１又は請求項２に記載の草取り装置。
【請求項４】
前記第１の回転軸に設けられた第１のベルトプーリーと、
前記車輪の軸に設けられた第２のベルトプーリーと、
前記第１のベルトプーリーと前記第２のベルトプーリーとに掛けられたベルトと、
前記第１のベルトプーリーと前記第２のベルトプーリーとの間に設けられたテンションプーリーと、
前記ベルトのテンションに反映する前記テンションプーリーの移動を制御するクラッチ操作部とを備えることを特徴とする請求項１乃至請求項３のうち何れか１つに記載の草取り装置。
【請求項５】
土片や小石の飛散を防止するカバーを設けたことを特徴とする請求項１乃至請求項４のうち何れか１つに記載の草取り装置。
【考案の詳細な説明】
【技術分野】
【０００１】
本考案は、ガソリンエンジン等の動力を用いて雑草を根本から取り除くことができるようにした草取り装置に関する。
【背景技術】
【０００２】
ガソリンエンジン等の動力を用いた草取り機は広く使用されているが、これは地上に出た部分の切断を行うのみで、根は地中に残したままである。草を根元から取り除くには、手で草をつかんで引き抜いたり、小型スコップ等を使用して手作業で行われたりしている。
【０００３】
特許文献１には、駆動エンジンに推進軸を介し、ひも巻きを取り付けた本体をエンジン取り付け台に設置し、刃先ひもの回転面を斜めに傾け、地面に浅く切り込む角度（約１０度）で、ひも巻きを軽く接地させ、駆動エンジンの取り付け台が車体に対して取り付け穴を支点として揺動するように取り付け、その斜め回転で地面に切り込もうとする刃先ひもの移動で草を削り取れるようにした技術が開示されている。
【０００４】
特許文献２には、金属鎖取付け部材と、金属鎖取付け部材に設けられた金属鎖と、金属鎖取付け部材を駆動する駆動装置を有し、金属鎖は一端が連結され、他端が自由になっていることにより、地面に比べて硬くしかも十分な重さを有する金属鎖が地面を掘り起こし、草を根元から掘り出せるようにした草取り装置が開示されている。
【０００５】
特許文献３には、接地架台と、接地架台に対して回転可能に設けられた可動架台と、可動架台に設けられた第１の軸と第２の軸と、第１の軸と第２の軸の間に設けられたチェーンと、チェーンを駆動する駆動源と、チェーンに取り付けられた複数の掘削部材と、チェーンに平行に設けられた帯状部材とを有し、掘削部材の先端中央部に凹部が形成されていることにより、使用者が立ったままの姿勢で地面の草を取り除くことができるとともに、その草を帯状部材で押さえながら草収集かごへ回収できるようにした草取り装置が開示されている。
【先行技術文献】
【特許文献】
【０００６】
【特許文献１】特許公報第３０２５８８２号
【特許文献２】実用新案登録第３１４４１９６号
【特許文献３】特開２００８−２６３８８２号
【考案の概要】
【考案が解決しようとする課題】
【０００７】
しかしながら、本願考案者が、試験又は研究のために、特許文献１に係る技術の実施を試みたところ、このような回転ひもは地面に当たってもはねかえされて掘り込むことはできず、草の地上部分を切断することしかできないことが判明した。
【０００８】
また、特許文献２，３に係る草取り装置は、ガソリンエンジン等の動力を用いて雑草を根本から取り除くことができるが、装置の小型軽量化や草取りの精度向上等の更なる改良が望まれる。
【０００９】
そこで、本考案が解決しようとする課題は、地面を掘り込むことができ、草を根元から除去することができる改良型の草取り装置を提供することである。
【課題を解決するための手段】
【００１０】
この考案は、前記課題を解決するためになされたもので、請求項１に記載の草取り装置は、第１の回転軸と、前記第１の回転軸を駆動する駆動部と、前記第１の回転軸に係合するアームと、前記アームに設けられ、平らな地面に対して平行になるエッジと、該エッジを一辺にもつ枠と、該枠を開口部として設けられたふるい目状の草収集かごとを有する掘削部と、前記掘削部が地面に対して上下往復運動をするように前記第１の回転軸の回転運動を変換する運動変換部と、装置全体を移動可能にする車輪とを備えることを特徴としている。
【００１１】
請求項１に記載の草取り装置によれば、平らな地面に対して平行になるエッジを有する掘削部が、地面に対して上下往復運動をするように構成されているので、地面を掘り込むことができ、草を根元から除去することができる。
【００１２】
また、請求項１に記載の草取り装置によれば、装置全体を移動可能にする車輪が設けられているので、ユーザは、装置を駆動しながら後退することができ、草収集かごが装置に対面するユーザの前方向に設けられているので、装置を駆動しながら後退するだけで、掘削物をその草収集かごに取り込むことができる。
【００１３】
さらに、請求項１に記載の草取り装置によれば、掘削部が上下往復運動をすることに加えて、掘削部の草収集かごにはふるい目が形成されており、草収集かごがふるいの役割を果たすことから、掘削物のうち土や小石がふるい落とされて、草だけを草収集かごに収集することができる。
【００１４】
したがって、請求項１に記載の草取り装置によれば、掘り出した草を散らかすことなく、草収集かごに収集した草をまとめて簡単に処分することができる。
【００１５】
請求項２に記載の草取り装置は、請求項１において、前記運動変換部は、カム機構により、前記アームの一端側が上下往復運動をするように構成されていることを特徴としている。
【００１６】
請求項２に記載の草取り装置によれば、請求項１の効果に加えて、簡易なカム機構によって構成されているので、製造が容易で、製造コストを抑えることができ、メンテナンスも容易となる。
【００１７】
請求項３に記載の草取り装置は、請求項１又は請求項２において、第２の回転軸と、前記第１の回転軸と前記第２の回転軸とに掛けられたチェーンと、前記第２の回転軸に取付具を介して取り付けられ、前記チェーンを介して前記第２の回転軸が駆動すると、前記エッジで掘り起こされた掘削物を前記草収集かごの中へ取り込む取込羽根とを備えることを特徴としている。
【００１８】
請求項３に記載の草取り装置によれば、請求項１又は請求項２の効果に加えて、第２の回転軸に取込羽根が設けられており、第２の回転軸が第１の回転軸に連動するので、ユーザは、装置を駆動しながら後退しなくても、エッジで掘り起こされた掘削物を草収集かごに取り込むことができる。
【００１９】
請求項４に記載の草取り装置は、請求項１乃至請求項３のうち何れか１つにおいて、前記第１の回転軸に設けられた第１のベルトプーリーと、前記車輪の軸に設けられた第２のベルトプーリーと、前記第１のベルトプーリーと前記第２のベルトプーリーとに掛けられたベルトと、前記第１のベルトプーリーと前記第２のベルトプーリーとの間に設けられたテンションプーリーと、前記ベルトのテンションに反映する前記テンションプーリーの移動を制御するクラッチ操作部とを備えることを特徴としている。
【００２０】
請求項４に記載の草取り装置によれば、請求項１乃至請求項３のうち何れか１つの効果に加えて、ベルトテンションクラッチ方式により、車輪に対して、ベルトを弛緩させることで動力を切り、緊張させることで動力を繋ぐことができるので、人力での移動が困難な掘り起こした後の地面や荒れ地であっても、クラッチ操作部での簡単な操作で装置を容易に移動させることができる。
【００２１】
請求項５に記載の草取り装置は、請求項１乃至請求項４のうち何れか１つにおいて、土片や小石の飛散を防止するカバーを設けたことを特徴としている。
【００２２】
請求項５に記載の草取り装置によれば、請求項１乃至請求項４のうち何れか１つの効果に加えて、土片や小石の飛散を防止するカバーが設けられているので、掘削時に発生する土片や小石のユーザへの飛散を防止することができる。
【考案の効果】
【００２３】
本考案によれば、地面を掘り込むことができ、草を根元から除去することが可能な改良型の草取り装置を提供することができる。
【図面の簡単な説明】
【００２４】
【図１】本考案に係る草取り装置の構成の概略説明に供する図である。
【図２】本考案に係る草取り装置の構成の詳細説明に供する図である。
【図３】掘削部の構成の説明に供する図である。
【考案を実施するための形態】
【００２５】
以下、本考案を適用した具体的な実施の形態について、図面を参照しながら詳細に説明する。本考案は、例えば、図１に示すような構成の草取り装置１に適用される。
【００２６】
１．草取り装置１の構成
この草取り装置１は、図１に示すように、本体２と、回転軸３と、回転軸３を駆動する駆動部４と、回転軸３に係合するアーム５と、アーム５に設けられた掘削部６と、回転軸３の回転運動をアーム５の上下運動に変換する運動変換部７と、草取り装置１全体をユーザの後方向に移動可能にする車輪８とを主要部として備えている。
【００２７】
本体２は、各部を支持し、本体２の上側には、フレーム９が連結されている。このフレーム９の上端には、ハンドル１０が設けられている。ハンドル１０の左側には、握り部の形状をしたクラッチ操作部１１が設けられており、このクラッチ操作部１１をユーザが握ると、駆動部４の動力が車輪８に伝達されるようになっている。ハンドル１０の右側には、駆動部４のスイッチ１２が設けられているが、例えばアクセル操作部を設けて駆動部４の回転速度を調整できるようにしてもよい。フレーム９の中間位置には、フレーム９の屈曲を可能にする屈曲部材２１が設けられている。
【００２８】
駆動部４は、この実施例においては電動モーターを用いているが、市販の草刈り機と同様のガソリンエンジンを使用してもよい。この駆動部４による回転力は、本体２に設けられた回転軸３に伝達される。
【００２９】
運動変換部７は、アーム５の一端側が本体２に設けられたゴム７ｂに上側から張着され、アーム５の他端側が本体２に軸支されており、両作用点間において、回転軸３に設けられたカム（図示省略）の下側でアーム５が外接することにより、力のバランスが取られた状態となっており、回転軸３が駆動すると、カムの形状に応じてアーム５の一端側が上下往復運動をするように構成されている。
【００３０】
掘削部６は、図２に示すように、平らな地面に対して平行になるエッジ６ａと、エッジ６ａを一辺にもつ枠６ｂと、枠６ｂを開口部として装置に対面するユーザの前方向に設けられた草収集かご６ｃとを備えており、図３に示すように、アーム５と枠６ｂとが溶接よって連結されている。なお、アーム５と枠６ｂとは一体形成されていてもよい。
【００３１】
草収集かご６ｃは、図２に示すように、ふるい目が形成されており、掘削部６の上下反復運動により、掘削物のうち土や小石がふるい落とされるようになっている。
【００３２】
また、草取り装置１は、図２に示すように、回転軸１３と、回転軸３と回転軸１３とに掛けられたチェーン１４と、回転軸１３に取付具１５ａを介して取り付けられ、チェーン１４を介して回転軸１３が駆動すると、エッジ６ａで掘り起こされた掘削物を草収集かご６ｃの中へ取り込む取込羽根１５とを備えている。
【００３３】
回転軸１３は、本体２に設けられ、チェーン１４を介して連動するように構成されている。取込羽根１５は、取付具１５ａとリング部１５ｂとその外周から突出した４つの羽根１５ｃとで構成されており、リング部１５ｂが回転軸１３の軸に掛けられた状態で取付具１５ａのネジが締められると回転軸１３に締着されるようになっており、着脱自在となっている。羽根１５ｃは、エッジ６ａで掘り起こされた掘削物を草収集かご６ｃの中へ跳ね返すことができるように構成されている。
【００３４】
また、草取り装置１は、図２に示すように、回転軸３に設けられたベルトプーリー１６と、車輪８の軸に設けられたベルトプーリー１７と、ベルトプーリー１６とベルトプーリー１７とに掛けられたベルト１８と、ベルトプーリー１６とベルトプーリー１７との間に設けられたテンションプーリー１９とを備えている。
【００３５】
ベルト１８は、ユーザが、クラッチ操作部１１を握ると、テンションプーリー１９が移動して緊張し、握りを緩めると、テンションプーリー１９が元の位置に戻って弛緩するように構成されている。ベルト１８が緊張すると、車輪８に動力が伝達され、ベルト１８が弛緩すると、ベルト１８とベルトプーリー１６及びベルトプーリー１７との間で滑りが生ずるため、車輪８への動力の伝達が切断されるようになっている。
【００３６】
さらに、草取り装置１は、図１又は図２に示すように、カバー２０が本体２に設けられている。カバー２０は、透明なアクリルやプラスティックで形成されており、ユーザへの土片や小石の飛散を防止する位置にＬ字金具を用いて取り付けられている。
【００３７】
２．草取り装置１の作用及び使用方法
続いて、この草取り装置１の作用及び使用方法を説明する。先ず、取付具１５ａを介して、取込羽根１５を回転軸１３に締着する。ユーザが、後方向に装置全体を移動することにより、エッジ６ａで掘り起こされた掘削物を草収集かご６ｃの中へ取り込むことができるが、取込羽根１５を回転軸１３に取り付けることにより、より確実に草収集かご６ｃの中へ掘削物を取り込むことができる。
【００３８】
駆動部４のスイッチ１２をＯＮにして駆動部４を作動させると、回転軸３が回転し、チェーン１４を介して、回転軸１３が連動する。回転軸１３が回転すると、これに伴って取込羽根１５が回転する。
【００３９】
草取り装置１のハンドル１０を持って、装置全体を起こし、車輪を使用して掘削場所まで移動する。掘削場所においては、エッジ６ａが地面に当接するようにハンドリングしながら装置全体を後方向に移動する。掘削物は、草収集かご６ｃのふるい目でふるいに掛けられて、草だけが草収集かご６ｃに収納される。
【００４０】
ユーザが、前方向に移動したいとき、或いは、荒れ地を移動したいときには、クラッチ操作部１１を握ることにより、駆動部４の動力が車輪８に伝達されて容易に移動することができる。
【００４１】
カバー２０が設けられているので、ユーザは、土片や小石の飛散を回避しながら、掘削作業を行うことができる。また、フレーム９に屈曲部材２１が設けられているので、ユーザの背丈に合わせてハンドル１０の高さを調節することができる。
【００４２】
以上、この草取り装置１は効果的に草を取り除くことができる。構成も簡易であり、既に普及している草刈り機と比べて、コストの増加は僅かである。ユーザは、しゃがんだ姿勢をとることがなく、操作も簡単であり、高齢者でも楽に草取りをすることができる。
【００４３】
なお、本考案は前述した実施の形態のみに限定されるものではなく、本考案の要旨を逸脱しない範囲において種々の変更が可能であることは勿論である。
【符号の説明】
【００４４】
１      草取り装置
２      本体
３      回転軸
４      駆動部
５      アーム
６      掘削部
６ａ    エッジ
６ｂ    枠
７      運動変換部
７ｂ    ゴム
８      車輪
９      フレーム
１０    ハンドル
１１    クラッチ操作部
１２    スイッチ
１３    回転軸
１４    チェーン
１５    取込羽根
１５ａ  取付具
１５ｂ  リング部
１５ｃ  羽根
１６    ベルトプーリー
１７    ベルトプーリー
１８    ベルト
１９    テンションプーリー
２０    カバー
２１    屈曲部材
【図１】
0003165001.tif 000003
【図２】
0003165001.tif 000004
【図３】
0003165001.tif 000005